(57)【特許請求の範囲】
【請求項１】
建物天井の雨水案内収集装置であって、壁面と前記壁面の上側に位置する天井を含み、前記天井の下端には二つの支持柱が固定され、二つの前記支持柱の間には回転軸が回転可能に連結され、前記回転軸には雨水を収集できる集水機構が設置され、前記集水機構は水受けブロックを含み、前記水受けブロックの中には下方に開口した集水空間が設置され、前記集水空間の左右端壁の中にはいずれも前記集水空間と連通したスライド空間が設置され、前記集水空間の上端壁の中には下方に開口し且つ左右両側の前記スライド空間を連通した収納空間が設置され、左側の前記スライド空間の中にはスライド棒が設置され、前記スライド棒の右端が前記集水空間を貫通して右側の前記スライド空間の中に位置し、前記スライド棒の中にはいずれも持ち上げ空間が設置され、前記持ち上げ空間の中には持ち上げブロックが設置され、前記持ち上げブロックの左右両端にはいずれも伸縮ばねが固定され、前記伸縮ばねの一端が前記スライド空間の端壁と連結されており、前記スライド棒の片側端面には案内板が固定され、前記案内板の中には前記案内板を貫通した支持棒が設置され、前記支持棒の上端が前記収納空間に位置し、前記壁面の後ろ側には固定ブロックが設置され、前記固定ブロックの中には前記集水機構から流れ出た水を受ける案内機構が設置され、前記固定ブロックの上端の中にはセンサ機構が設置され、前記固定ブロックの上端の中には前記センサ機構から生じた動力を前記案内機構と前記集水機構に伝達する伝動機構が設置され、大雨の時に、前記センサ機構により前記案内機構と前記集水機構を作動させて前記天井の雨水の案内と収集を実現できることを特徴とする建物天井の雨水案内収集装置。
【請求項２】
前記案内機構は、前方に開口し且つ上方へ傾いた案内空間を含み、前記固定ブロックの前端面には前記案内空間の前端壁を閉鎖する濾過網が固定され、前記固定ブロックの前端面には集水ブロックが固定され、前記案内空間の下端壁には前記案内空間と前記集水ブロックとを連通した排水管路が設置され、前記案内空間の中には水受け板が設置され、前記水受け板の中には上方に開口した水受け溝が形成され、前記水受け溝の前右端壁が前記案内空間と連通しており、前記案内空間の上端壁には連通空間が設置され、前記水受け板の後端面には押し動かし棒が固定され、前記押し動かし棒の上端が前記連通空間の中に位置し、前記連通空間の右端壁の中には位置制限溝が形成され、前記位置制限溝が左方に開口しており且つ上方に傾いており、前記位置制限溝の内部には位置制限ブロックが設置され、前記位置制限ブロックの一端が前記押し動かし棒と連結されていることを特徴とする請求項１に記載の建物天井の雨水案内収集装置。
【請求項３】
前記センサ機構は、上方に開口した昇降空間を含み、前記昇降空間の中には浮き板が設置され、前記昇降空間の後端壁の中には持ち上げ溝が形成され、前記持ち上げ溝の中には下押し板が設置され、前記下押し板の前端が前記昇降空間の中に位置し、前記下押し板の後端には上端に前記持ち上げ溝の上端壁と固定された敏感ばねが設置され、前記昇降空間の下端壁には前記排水管路と連通した連通管路が設置され、前記持ち上げ溝の前端壁には前記連通管路を貫通して前記持ち上げ溝と連通したばね空間が設置され、前記ばね空間の中には後端が前記持ち上げ溝の中に位置する遮断板と、前記遮断板を復位させる圧縮ばねとが設置され、前記遮断板の中には前記遮断板を貫通し且つ前記連通管路と連通した貫通穴が設置され、前記持ち上げ溝の前端壁には位置制限ブロックが固定され、前記下押し板の後端には下端が前記位置制限ブロックと接触した下押し棒が固定され、前記下押し棒の中には前方に開口したばね溝が形成され、前記ばね溝の中には前端が前記位置制限ブロックと当接した台形ブロックと、前記台形ブロックを復帰させる連結ばねが設置されていることを特徴とする請求項２に記載の建物天井の雨水案内収集装置。
【請求項４】
前記伝動機構は、伝動空間を含み、前記回転軸の後端が前記伝動空間の前端壁を貫通し且つ前記伝動空間の中に位置し、前記回転軸の前端と前記伝動空間の前端壁とが第一ねじりばねにより連結され、前記回転軸の前端には半歯車が固定され、前記半歯車の右端にはラック棒が噛み合っており、前記ラック棒の上端が前記伝動空間の上端壁を貫通して前記浮き板と連結され、前記連通空間が前記伝動空間と前記案内空間とを連通し且つ前記押し動かし棒の上端が前記伝動空間の中に位置し、前記押し動かし棒の上端には上方に開口した制限溝が形成され且つ前記ラック棒の下端が前記制限溝の中に位置し、前記押し動かし棒の上端には前端に前記伝動空間の前端壁と固定的に連結された復位ばねが固定され、前記伝動空間の中には後端が前記連通管路の中に位置する従動軸が設置され、前記従動軸の前端と前記伝動空間の後端壁とが第二ねじりばねにより連結され、前記従動軸の前端にはリールが固定され、前記リールには前端が前記押し動かし棒と連結されたロープが巻きつけられ、前記従動軸の後端にはタービンが固定されていることを特徴とする請求項３に記載の建物天井の雨水案内収集装置。
【請求項５】
前記浮き板と前記ラック棒とが下降する時に、前記押し動かし棒がすでに前記ロープに連動して復帰したことを特徴とする請求項４に記載の建物天井の雨水案内収集装置。
【請求項６】
前記連結ばねの弾力は前記圧縮ばねの弾力より大きいことを特徴とする請求項３に記載の建物天井の雨水案内収集装置。
【請求項７】
前記敏感ばねの弾力は前記連結ばねの弾力より大きいことを特徴とする請求項３に記載の建物天井の雨水案内収集装置。
【請求項８】
水流が前記タービンを打つことで、前記従動軸が回転して前記リールによって前記ロープを締め、このとき前記ロープから前記押し動かし棒への牽引力が前記復位ばねの弾力より大きいことを特徴とする請求項４に記載の建物天井の雨水案内収集装置。
【発明の詳細な説明】
【技術分野】
【０００１】
本願発明は雨水案内収集分野に関し、具体的には建物天井の雨水案内収集装置に関する。
【背景技術】
【０００２】
大雨のとき、大量な雨水が軒に沿って流れ、案内されなかったら重力で落ち、地面にショックを与えて穴をあける。
現在、雨水案内用の水管又は装置が軒並みに備わっているが、移動できなく、鳥類も中で巣を作りがち、雨の時に詰まりになって排水に影響する。従来の案内機構は殆どが雨水の流動しか案内できず、雨が上がった後に装置又は水管の内部に溜まった水が水管又は装置を腐食し、サビが生じて水管又は装置の使用寿命に影響する。
【先行技術文献】
【特許文献】
【０００３】
【特許文献１】中国特許出願公開第１０６７０３１７２号明細書
【発明の概要】
【発明が解決しようとする課題】
【０００４】
建物天井の雨水案内収集装置を提供し、鳥類の巣作りと残留水が装置を腐食することなどを防止し、装置を保護し、寿命を延長する。
【課題を解決するための手段】
【０００５】
建物天井の雨水案内収集装置であって、壁面と前記壁面の上側に位置する天井を含み、前記天井の下端には二つの支持柱が固定され、二つの前記支持柱の間には回転軸が回転可能に連結され、前記回転軸には雨水を収集できる集水機構が設置され、前記集水機構は水受けブロックを含み、前記水受けブロックの中には下方に開口した集水空間が設置され、前記集水空間の左右端壁の中にはいずれも前記集水空間と連通したスライド空間が設置され、前記集水空間の上端壁の中には下方に開口し且つ左右両側の前記スライド空間を連通した収納空間が設置され、左側の前記スライド空間の中にはスライド棒が設置され、前記スライド棒の右端が前記集水空間を貫通して右側の前記スライド空間の中に位置し、前記スライド棒の中にはいずれも持ち上げ空間が設置され、前記持ち上げ空間の中には持ち上げブロックが設置され、前記持ち上げブロックの左右両端にはいずれも伸縮ばねが固定され、前記伸縮ばねの一端が前記スライド空間の端壁と連結されており、前記スライド棒の片側端面には案内板が固定され、前記案内板の中には前記案内板を貫通した支持棒が設置され、前記支持棒の上端が前記収納空間に位置し、前記壁面の後ろ側には固定ブロックが設置され、前記固定ブロックの中には前記集水機構から流れ出た水を受ける案内機構が設置され、前記固定ブロックの上端の中にはセンサ機構が設置され、前記固定ブロックの上端の中には前記センサ機構から生じた動力を前記案内機構と前記集水機構に伝達する伝動機構が設置され、大雨の時に、前記センサ機構により前記案内機構と前記集水機構を作動させて前記天井の雨水の案内と収集を実現できる。
【０００６】
有益的に、前記案内機構は、前方に開口し且つ上方へ傾いた案内空間を含み、前記固定ブロックの前端面には前記案内空間の前端壁を閉鎖する濾過網が固定され、前記固定ブロックの前端面には集水ブロックが固定され、前記案内空間の下端壁には前記案内空間と前記集水ブロックとを連通した排水管路が設置され、前記案内空間の中には水受け板が設置され、前記水受け板の中には上方に開口した水受け溝が形成され、前記水受け溝の前右端壁が前記案内空間と連通しており、前記案内空間の上端壁には連通空間が設置され、前記水受け板の後端面には押し動かし棒が固定され、前記押し動かし棒の上端が前記連通空間の中に位置し、前記連通空間の右端壁の中には位置制限溝が形成され、前記位置制限溝が左方に開口しており且つ上方に傾いており、前記位置制限溝の内部には位置制限ブロックが設置され、前記位置制限ブロックの一端が前記押し動かし棒と連結されている。
【０００７】
有益的には、前記センサ機構は、上方に開口した昇降空間を含み、前記昇降空間の中には浮き板が設置され、前記昇降空間の後端壁の中には持ち上げ溝が形成され、前記持ち上げ溝の中には下押し板が設置され、前記下押し板の前端が前記昇降空間の中に位置し、前記下押し板の後端には上端に前記持ち上げ溝の上端壁と固定された敏感ばねが設置され、前記昇降空間の下端壁には前記排水管路と連通した連通管路が設置され、前記持ち上げ溝の前端壁には前記連通管路を貫通して前記持ち上げ溝と連通したばね空間が設置され、前記ばね空間の中には後端が前記持ち上げ溝の中に位置する遮断板と、前記遮断板を復位させる圧縮ばねとが設置され、前記遮断板の中には前記遮断板を貫通し且つ前記連通管路と連通した貫通穴が設置され、前記持ち上げ溝の前端壁には位置制限ブロックが固定され、前記下押し板の後端には下端が前記位置制限ブロックと接触した下押し棒が固定され、前記下押し棒の中には前方に開口したばね溝が形成され、前記ばね溝の中には前端が前記位置制限ブロックと当接した台形ブロックと、前記台形ブロックを復帰させる連結ばねが設置されている。
【０００８】
有益的には、前記伝動機構は、伝動空間を含み、前記回転軸の後端が前記伝動空間の前端壁を貫通し且つ前記伝動空間の中に位置し、前記回転軸の前端と前記伝動空間の前端壁とが第一ねじりばねにより連結され、前記回転軸の前端には半歯車が固定され、前記半歯車の右端にはラック棒が噛み合っており、前記ラック棒の上端が前記伝動空間の上端壁を貫通して前記浮き板と連結され、前記連通空間が前記伝動空間と前記案内空間とを連通し且つ前記押し動かし棒の上端が前記伝動空間の中に位置し、前記押し動かし棒の上端には上方に開口した制限溝が形成され且つ前記ラック棒の下端が前記制限溝の中に位置し、前記押し動かし棒の上端には前端に前記伝動空間の前端壁と固定的に連結された復位ばねが固定され、前記伝動空間の中には後端が前記連通管路の中に位置する従動軸が設置され、前記従動軸の前端と前記伝動空間の後端壁とが第二ねじりばねにより連結され、前記従動軸の前端にはリールが固定され、前記リールには前端が前記押し動かし棒と連結されたロープが巻きつけられ、前記従動軸の後端にはタービンが固定されている。
【０００９】
前記浮き板と前記ラック棒とが下降する時に、前記押し動かし棒がすでに前記ロープに連動して復帰した。
【００１０】
前記連結ばねの弾力は前記圧縮ばねの弾力より大きい。
【００１１】
前記敏感ばねの弾力は前記連結ばねの弾力より大きい。
【００１２】
水流が前記タービンを打つことで、前記従動軸が回転して前記リールによって前記ロープを締め、このとき前記ロープから前記押し動かし棒への牽引力が前記復位ばねの弾力より大きい。
【発明の効果】
【００１３】
本願発明の有益効果は：本願発明は構造が簡単で、操作が便利で、大雨の時に自動的に軒から落ちる水を収集して地面に傷つけることを防止でき、従来の雨水案内装置と比べ、本願発明は作動しない時に集水空間を逆さまにすることで、集水空間を空にするとともに、水受けブロックの乾燥を保証しサビを防止し、鳥類の巣作りによって雨天の時に集水空間内の雨水の流通が影響を受けて詰まりを招くことも心配しなくて済む。
【図面の簡単な説明】
【００１４】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の実施例の構成図
【図２】図２は本願発明の実施例のＡ―Ａの構成図
【図３】図３は本願発明の実施例の案内機構の局部断面の正面拡大構成図
【図４】図４は本願発明の実施例の水受けブロックの局部断面の左面拡大構成図
【図５】図５は本願発明の実施例のセンサ機構の局部断面の左面拡大構成図
【発明を実施するための形態】
【００１６】
建物天井の雨水案内収集装置であって、壁面１１と前記壁面１１の上側に位置する天井１０を含み、前記天井１０の下端には二つの支持柱２１が固定され、二つの前記支持柱２１の間には回転軸１５が回転可能に連結され、前記回転軸１５には雨水を収集できる集水機構６０が設置され、前記集水機構６０は水受けブロック１２を含み、前記水受けブロック１２の中には下方に開口した集水空間１４が設置され、前記集水空間１４の左右端壁の中にはいずれも前記集水空間１４と連通したスライド空間５２が設置され、前記集水空間１４の上端壁の中には下方に開口し且つ左右両側の前記スライド空間５２を連通した収納空間４９が設置され、左側の前記スライド空間５２の中にはスライド棒１３が設置され、前記スライド棒１３の右端が前記集水空間１４を貫通して右側の前記スライド空間５２の中に位置し、前記スライド棒１３の中にはいずれも持ち上げ空間５４が設置され、前記持ち上げ空間５４の中には持ち上げブロック５３が設置され、前記持ち上げブロック５３の左右両端にはいずれも伸縮ばね５５が固定され、前記伸縮ばね５５の一端が前記スライド空間５２の端壁と連結されており、前記スライド棒１３の片側端面には案内板５１が固定され、前記案内板５１の中には前記案内板５１を貫通した支持棒５０が設置され、前記支持棒５０の上端が前記収納空間４９に位置し、前記壁面１１の後ろ側には固定ブロック２０が設置され、前記固定ブロック２０の中には前記集水機構６０から流れ出た水を受ける案内機構６３が設置され、前記固定ブロック２０の上端の中にはセンサ機構６１が設置され、前記固定ブロック２０の上端の中には前記センサ機構６１から生じた動力を前記案内機構６３と前記集水機構６０に伝達する伝動機構６２が設置され、大雨の時に、前記センサ機構６１により前記案内機構６３と前記集水機構６０を作動させて前記天井１０の雨水の案内と収集を実現できる。
【００１７】
有益的には、前記案内機構６３は、前方に開口し且つ上方へ傾いた案内空間１６を含み、前記固定ブロック２０の前端面には前記案内空間１６の前端壁を閉鎖する濾過網３２が固定され、前記固定ブロック２０の前端面には集水ブロック１８が固定され、前記案内空間１６の下端壁には前記案内空間１６と前記集水ブロック１８とを連通した排水管路３１が設置され、前記案内空間１６の中には水受け板１７が設置され、前記水受け板１７の中には上方に開口した水受け溝１９が形成され、前記水受け溝１９の前右端壁が前記案内空間１６と連通しており、前記案内空間１６の上端壁には連通空間４６が設置され、前記水受け板１７の後端面には押し動かし棒４３が固定され、前記押し動かし棒４３の上端が前記連通空間４６の中に位置し、前記連通空間４３の右端壁の中には位置制限溝４８が形成され、前記位置制限溝４８が左方に開口しており且つ上方に傾いており、前記位置制限溝４８の内部には位置制限ブロック４７が設置され、前記位置制限ブロック４７の一端が前記押し動かし棒４３と連結されている。
【００１８】
有益的には、前記センサ機構６１は、上方に開口した昇降空間３９を含み、前記昇降空間３９の中には浮き板４０が設置され、前記昇降空間３９の後端壁の中には持ち上げ溝２４が形成され、前記持ち上げ溝２４の中には下押し板３８が設置され、前記下押し板３８の前端が前記昇降空間３９の中に位置し、前記下押し板３８の後端には上端に前記持ち上げ溝２４の上端壁と固定された敏感ばね２２が設置され、前記昇降空間３９の下端壁には前記排水管路３１と連通した連通管路３０が設置され、前記持ち上げ溝２４の前端壁には前記連通管路３０を貫通して前記持ち上げ溝２４と連通したばね空間３６が設置され、前記ばね空間３６の中には後端が前記持ち上げ溝２４の中に位置する遮断板２５と、前記遮断板２５を復位させる圧縮ばね３５とが設置され、前記遮断板２５の中には前記遮断板２５を貫通し且つ前記連通管路３０と連通した貫通穴３４が設置され、前記持ち上げ溝２４の前端壁には位置制限ブロック５８が固定され、前記下押し板３８の後端には下端が前記位置制限ブロック５８と接触した下押し棒２３が固定され、前記下押し棒２３の中には前方に開口したばね溝５６が形成され、前記ばね溝５６の中には前端が前記位置制限ブロック５８と当接した台形ブロック５９と、前記台形ブロック５９を復帰させる連結ばね５７が設置されている。
【００１９】
有益的には、前記伝動機構６２は、伝動空間２６を含み、前記回転軸１５の後端が前記伝動空間２６の前端壁を貫通し且つ前記伝動空間２６の中に位置し、前記回転軸１５の前端と前記伝動空間２６の前端壁とが第一ねじりばね４２により連結され、前記回転軸１５の前端には半歯車４１が固定され、前記半歯車４１の右端にはラック棒３７が噛み合っており、前記ラック棒３７の上端が前記伝動空間２６の上端壁を貫通して前記浮き板４０と連結され、前記連通空間４６が前記伝動空間２６と前記案内空間１６とを連通し且つ前記押し動かし棒４３の上端が前記伝動空間２６の中に位置し、前記押し動かし棒４３の上端には上方に開口した制限溝６４が形成され且つ前記ラック棒３７の下端が前記制限溝６４の中に位置し、前記押し動かし棒４３の上端には前端に前記伝動空間２６の前端壁と固定的に連結された復位ばね３３が固定され、前記伝動空間２６の中には後端が前記連通管路３０の中に位置する従動軸２８が設置され、前記従動軸２８の前端と前記伝動空間２６の後端壁とが第二ねじりばね２９により連結され、前記従動軸２８の前端にはリール４４が固定され、前記リール４４には前端が前記押し動かし棒４３と連結されたロープ４５が巻きつけられ、前記従動軸２８の後端にはタービン２７が固定されている。
【００２０】
装置全体の機械動作の順序：
１．小さい雨が降ると、下押し板３８に対する衝撃力が小さいため、下押し板３８を下降させることができず、もし大雨が降ると、下押し板３８に対する衝撃力が大きくて密集しており、下押し板３８が下降して台形ブロック５９を位置制限ブロック５８と接触させなく、台形ブロック５９が連結ばね５７の作用により突き出されて遮断板２５を前方へ移動連動させ、貫通穴３４が連通管路３０と連通しなくなり、雨水が昇降空間３９の中で積む。
２．雨水が昇降空間２９の中で積むことで、浮き板４０が上昇してラック棒３７を上昇させ、半歯車４１が回転し、回転軸１５が回転し、第一ねじりばね４２がねじられ、ラック棒３７が上昇して制限溝６４から離れ、押し動かし棒４３が復位ばね３３の作用により前方へ移動し、水受け板１７が前方へ移動し、水受け板１７の前端が外部且つ水受けブロック２１の左側に位置し、前記水受け板１７の移動により濾過網３２が開く。
３．回転軸１５の回転により水受けブロック１２が百八十度回転し、集水空間１４が上方に開いて天井１９から流れる水を受け、水流がスライド棒１３を打ってスライド棒１３を左方へ移動させ、スライド棒１３が収納空間４９まで移動したとき、スライド棒１３が重力により収納空間４９の中に入り、案内板５１が収納空間４９の中に入って且つ案内板５１の左端が水受け板１７の上側に位置し、伸縮ばね５５が引っ張られる。
４．雨水が水受けブロック１２と案内板５１と水受け板１７と排水管路３１とを通って最終に集水ブロック１８の中で収集され、天井１０の上側から水につれられてくる葉などの異物が濾過網３２に止められる。
５．雨が小さくなり又は雨上がりのとき、雨水から下押し板３８に対する作用力が小さくなり、敏感ばね２２が下押し板３８を復位させ、台形ブロック５９が復位し、遮断板２５が圧縮ばね３５の作用により復位し、貫通穴３４が再び連通管路３０と連通し、このとき昇降空間３９の中の水が連通管路３０を通って排水管路３１の中に入ってタービン２７を回転連動させ、従動軸２８が連動して回転し、リール４４が回転してロープ４５を締め、押し動かし棒４３が復位し、復位ばね３３が引っ張られ、押し動かし棒４３が復位して水受け棒１７を復位連動させ、浮き板４０は昇降空間３９の水位が下がるため下降し、ラック棒３７が下降し、回転軸１５が復位し、ラック棒３７が一番下側に下降したとき、ラック棒３７の下端が再び制限溝６４の中に入って押し動かし棒４３の右方への移動を制限する。
６．回転軸１５が復位して水受けブロック１２を復位させ、スライド棒１３と案内板５１が重力により収納空間４９から離れ、スライド棒１３が伸縮ばね５５の作用により復位し、集水機構６０が復位し、本願発明の復帰が実現され、また集水空間１４が下方に開口しているため、集水空間１４に残った水が落ち、乾燥が保たれる。
【００２１】
上記方式により、本分野の当業者は本願発明の範囲内に作動パターンにより各種な変化を実行できる。
【図１】
0006826256.tif 000002
【図２】
0006826256.tif 000003
【図３】
0006826256.tif 000004
【図４】
0006826256.tif 000005
【図５】
0006826256.tif 000006